(57)【要約】  装置（１０）において、フレキシブルディスプレイスクリーン（１１）及びハウジング（１２，１３）が、開き位置と閉じ位置との間で構造的に構成可能である。ハウジング（１２，１３）は、フレキシブルディスプレイスクリーン（１１）及びハウジング（１２，１３）が開き位置において構造的に構成されたことに応答してフレキシブルディスプレイスクリーン（１１）の全体的動作ビューを視認可能に露出させる。ハウジング（１２，１３）は又、フレキシブルディスプレイスクリーン（１１）及びハウジング（１２，１３）が、閉じ位置において構造的に構成されたことに応答してフレキシブルディスプレイスクリーン（１１）の部分的動作ビューを視認可能に露出させる。カバー（１６）が、フレキシブルディスプレイスクリーン（１１）及びハウジング（１２，１３）が、閉じ位置において構造的に構成されたことに応答してフレキシブルディスプレイスクリーン（１１）の部分的動作ビューに対する物理的損傷を手動で又は自動的に妨げる。
2008541186.tif 000002
【特許請求の範囲】
【請求項１】
装置（１０）であって、
開き位置と閉じ位置との間で構造的に構成可能であるフレキシブルディスプレイスクリーン（１１）及びハウジング（１２，１３）を有し、
前記ハウジング（１２，１３）は、前記フレキシブルディスプレイスクリーン（１１）及び前記ハウジングが前記開き位置において構造的に構成されたことに応答して前記フレキシブルディスプレイスクリーン（１１）の全体的動作ビューを視認可能に露出させるよう動作でき、
前記ハウジング（１２，１３）は、前記フレキシブルディスプレイスクリーン（１１）及び前記ハウジングが前記閉じ位置において構造的に構成されたことに応答して前記フレキシブルディスプレイスクリーン（１１）の部分的動作ビューを視認可能に露出させるよう動作でき、
前記フレキシブルディスプレイスクリーン（１１）及び前記ハウジング（１２，１３）が前記閉じ位置において構造的に構成されたことに応答して前記フレキシブルディスプレイスクリーン（１１）の前記部分的動作ビューに対する物理的損傷を妨げるよう動作できるカバー（１６）を有する、装置（１０）。
【請求項２】
前記カバー（１６）は、前記フレキシブルディスプレイスクリーン及び前記ハウジング（１２，１３）が前記開き位置において構造的に構成されたことに応答して、前記フレキシブルディスプレイスクリーン（１１）の一部分に対する物理的損傷を妨げるよう動作できる、請求項１に記載の装置。
【請求項３】
前記カバー（１６）は、透明である、請求項１に記載の装置（１０）。
【請求項４】
前記カバー（１６）は、前記ハウジング（１２，１３）に対して回転可能である、請求項１に記載の装置（１０）。
【請求項５】
前記カバー（１６）を前記フレキシブルディスプレイスクリーン（１１）及び前記ハウジング（１２，１３）の構造的再構成に応答して前記フレキシブルディスプレイスクリーン（１１）に向かって前記開き位置から前記閉じ位置に回転させるよう動作できる巻回機構体を更に有する、請求項１に記載の装置（１０）。
【請求項６】
前記カバー（１６）を前記フレキシブルディスプレイスクリーン（１１）及び前記ハウジング（１２，１３）の構造的再構成に応答して、前記フレキシブルディスプレイスクリーン（１１）から遠ざかって前記閉じ位置から前記開き位置に回転させるよう動作できる巻回機構体を更に有する、請求項１に記載の装置（１０）。
【請求項７】
前記フレキシブルディスプレイスクリーン（１１）及び前記ハウジング（１２，１３）の構造的再構成に応答して、前記フレキシブルディスプレイスクリーン（１１）を前記ハウジング（１２，１３）内に巻き取ると同時に前記カバー（１６）を前記フレキシブルディスプレイスクリーン（１１）に向かって前記開き位置から前記閉じ位置に回転させるよう動作できる巻回機構体を更に有する、請求項１に記載の装置（１０）。
【請求項８】
前記フレキシブルディスプレイスクリーン（１１）及び前記ハウジング（１２，１３）の構造的再構成に応答して、前記フレキシブルディスプレイスクリーン（１１）を前記ハウジング（１２，１３）内から巻き出すと同時に前記カバーを前記フレキシブルディスプレイスクリーン（１１）から遠ざかって前記閉じ位置から前記開き位置に回転させるよう動作できる巻回機構体を更に有する、請求項１に記載の装置（１０）。
【請求項９】
前記ハウジング（１２，１３）は、前記フレキシブルディスプレイスクリーン（１１）の互いに反対側の端部に作動的に結合された駆動ハウジングユニット（１２）及び巻回ハウジングユニット（１３）を含み、
前記駆動ハウジングユニット（１２）及び前記巻回ハウジングユニット（１３）は、前記フレキシブルディスプレイスクリーン（１１）及び前記ハウジング（１２，１３）を前記開き位置と前記閉じ位置との間で切り換えるよう動作できる、請求項８に記載の装置（１０）。
【請求項１０】
前記駆動ハウジングユニット（１２）は、前記フレキシブルディスプレイスクリーン（１１）を駆動するよう動作できる駆動エレクトロニクス（１４）を収容し、
前記巻回ハウジングユニット（１３）は、前記フレキシブルディスプレイスクリーン（１１）を前記閉じ位置から前記開き位置に巻き出したり、前記フレキシブルディスプレイスクリーン（１１）を前記開き位置から前記閉じ位置に巻いたりするよう動作できる巻回機構体（１５）を収容している、請求項１１に記載の装置（１０）。
【請求項１１】
装置（１０）であって、
開き位置と閉じ位置との間で構造的に構成可能であるフレキシブルディスプレイスクリーン（１１）及びハウジング（１２，１３）を有し、
前記ハウジング（１２，１３）は、前記フレキシブルディスプレイスクリーン（１１）及び前記ハウジング（１２，１３）が前記開き位置において構造的に構成されたことに応答して前記フレキシブルディスプレイスクリーン（１１）の全体的動作ビューを視認可能に露出させるよう動作でき、
前記ハウジング（１２，１３）は、前記フレキシブルディスプレイスクリーン（１１）及び前記ハウジング（１２，１３）が前記閉じ位置において構造的に構成されたことに応答して前記フレキシブルディスプレイスクリーン（１１）の部分的動作ビューを視認可能に露出させるよう動作でき、
前記フレキシブルディスプレイスクリーン（１１）及び前記ハウジング（１２，１３）が前記閉じ位置において構造的に構成されたことに応答して前記フレキシブルディスプレイスクリーン（１１）の前記部分的動作ビューに対する物理的損傷を妨げるよう動作できるカバー（１６）を有し、
巻回機構体を有し、
前記巻回機構体は、前記カバーを前記フレキシブルディスプレイスクリーン（１１）及び前記ハウジング（１２，１３）の構造的再構成に応答して前記フレキシブルディスプレイスクリーン（１１）に向かって前記開き位置から前記閉じ位置に回転させるよう動作でき、
前記巻回機構体は、前記カバーを前記フレキシブルディスプレイスクリーン（１１）及び前記ハウジング（１２，１３）の構造的再構成に応答して、前記フレキシブルディスプレイスクリーン（１１）から遠ざかって前記閉じ位置から前記開き位置に回転させるよう動作できる、装置（１０）。
【請求項１２】
前記カバー（１６）は、前記フレキシブルディスプレイスクリーン（１１）及び前記ハウジング（１２，１３）が前記開き位置において構造的に構成されたことに応答して、前記フレキシブルディスプレイスクリーン（１１）の一部分に対する物理的損傷を妨げるよう動作できる、請求項１１に記載の装置（１０）。
【請求項１３】
前記カバー（１６）は、透明である、請求項１１に記載の装置（１０）。
【請求項１４】
前記カバー（１６）は、前記ハウジング（１２，１３）に対して回転可能である、請求項１１に記載の装置（１０）。
【請求項１５】
前記巻回機構体は、更に、前記フレキシブルディスプレイスクリーン（１１）及び前記ハウジング（１２，１３）の構造的再構成に応答して、前記フレキシブルディスプレイスクリーン（１１）を前記ハウジング（１２，１３）内に巻き取ると同時に前記カバーを前記フレキシブルディスプレイスクリーン（１１）に向かって前記開き位置から前記閉じ位置に回転させるよう動作でき、
前記巻回機構体は、更に、前記フレキシブルディスプレイスクリーン（１１）及び前記ハウジング（１２，１３）の構造的再構成に応答して、前記フレキシブルディスプレイスクリーン（１１）を前記ハウジング（１２，１３）内から巻き出すと前記閉じ位置から前記開き位置に回転させるよう動作できる、請求項１１に記載の装置（１０）。
【請求項１６】
前記ハウジング（１２，１３）は、前記フレキシブルディスプレイスクリーン（１１）の互いに反対側の端部に作動的に結合された駆動ハウジングユニット（１２）及び巻回ハウジングユニット（１３）を含み、
前記駆動ハウジングユニット（１２）及び前記巻回ハウジングユニット（１３）は、前記フレキシブルディスプレイスクリーン（１１）及び前記ハウジング（１２，１３）を前記開き位置と前記閉じ位置との間で切り換えるよう動作できる、請求項８に記載の装置（１０）。
【請求項１７】
前記駆動ハウジングユニット（１２）は、前記フレキシブルディスプレイスクリーン（１１）を駆動するよう動作できる駆動エレクトロニクスを収容し、前記巻回ハウジングユニット（１３）は、前記巻回機構体を収容している、請求項１６に記載の装置（１０）。
【請求項１８】
装置であって、
開き位置と閉じ位置との間で構造的に構成可能であるフレキシブルディスプレイスクリーン（１１）及びハウジング（１２，１３）を有し、
前記ハウジング（１２，１３）は、前記フレキシブルディスプレイスクリーン（１１）及び前記ハウジング（１２，１３）が前記開き位置において構造的に構成されたことに応答して前記フレキシブルディスプレイスクリーン（１１）の全体的動作ビューを視認可能に露出させるよう動作でき、
前記ハウジング（１２，１３）は、前記フレキシブルディスプレイスクリーン（１１）及び前記ハウジング（１２，１３）が前記閉じ位置において構造的に構成されたことに応答して前記フレキシブルディスプレイスクリーン（１１）の部分的動作ビューを視認可能に露出させるよう動作でき、
前記フレキシブルディスプレイスクリーン（１１）及び前記ハウジング（１２，１３）が前記閉じ位置において構造的に構成されたことに応答して前記フレキシブルディスプレイスクリーン（１１）の部分的動作ビューに対する物理的損傷を妨げる保護手段を有する、装置（１０）。
【請求項１９】
前記保護手段は、更に、前記フレキシブルディスプレイスクリーン（１１）及び前記ハウジング（１２，１３）が前記開き位置において構造的に構成されたことに応答して前記フレキシブルディスプレイスクリーン（１１）の前記全体的動作ビューの一部分に対する物理的損傷を妨げるよう動作できる、請求項１８に記載の装置（１０）。
【請求項２０】
前記ハウジング（１２，１３）は、前記フレキシブルディスプレイスクリーン（１１）の互いに反対側の端部に作動的に結合された駆動ハウジングユニット（１２）及び巻回ハウジングユニット（１３）を含み、
前記駆動ハウジングユニット（１２）及び前記巻回ハウジングユニット（１３）は、前記フレキシブルディスプレイスクリーン（１１）及び前記ハウジング（１２，１３）を前記開き位置と前記閉じ位置との間で切り換えるよう動作できる、請求項１８に記載の装置（１０）。
【発明の詳細な説明】
【開示の内容】
【０００１】
本発明は、一般に、フレキシブルディスプレイスクリーンに関する。本発明は、特に、フレキシブルディスプレイスクリーン用の保護カバーに関する。
【０００２】
フレキシブルディスプレイスクリーンを用いた装置（例えば、個人情報端末、携帯電話等）は、２つの主要な形態を有するように設計されている場合がある。第１の主要な形態は、ハウジングがフレキシブルディスプレイスクリーンの全体的（フル）動作ビューを視認可能に露出させる開き位置にあるフレキシブルディスプレイスクリーン及びハウジングの構造的構成である。第２の主要な形態は、ハウジングがフレキシブルディスプレイスクリーンの部分的（パーシャル）動作ビューを視認可能に露出させる閉じ位置にあるフレキシブルディスプレイスクリーン及びハウジングの構造的構成である。閉じ位置では、装置を自分から遠ざけた状態で保管する場合があり、かくして、フレキシブルディスプレイスクリーンの部分的動作ビューは、物理的損傷（例えば、引っ掻きや折り曲げ）から保護される必要がある。
【０００３】
この目的のため、本発明は、フレキシブルディスプレイスクリーン及びハウジングが、閉じ位置において構造的に構成されたことに応答してフレキシブルディスプレイスクリーンの部分的動作ビューに対する物理的損傷を手動で又は自動的に妨げるカバーを提供する。
【０００４】
本発明の上記特徴及び利点並びに他の特徴及び利点は、添付の図面と関連して読まれる本発明の種々の実施形態についての以下の詳細な説明から一層明らかになろう。詳細な説明及び図面は、本発明を限定するものではなく本発明の例示に過ぎず、本発明の範囲は、特許請求の範囲の記載及びその均等範囲によって定められる。
【０００５】
本発明は、２つの主要な構成又は形態だけを有するように設計されたフレキシブルディスプレイスクリーンを用いた装置（例えば、個人情報端末、携帯電話等）を前提としている。第１の主要な形態は、ハウジングがフレキシブルディスプレイスクリーンの全体的動作ビューを視認可能に露出させる開き位置にあるフレキシブルディスプレイスクリーン及びハウジングの構造的構成である。第２の主要な形態は、ハウジングがフレキシブルディスプレイスクリーンの部分的動作ビューを視認可能に露出させる閉じ位置にあるフレキシブルディスプレイスクリーン及びハウジングの構造的構成である。
【０００６】
実際に、本発明は、装置の主要な構造的構成に関し何ら制限又は制約を与えず、例えば、本発明は、装置を開き位置と閉じ位置との間で切り換えるためのフレキシブルディスプレイスクリーン及び（又は）ハウジングに必要な形式の運動（例えば、ハウジングの２つのユニットの側方又は回転変位及びこれに対応したフレキシブルディスプレイスクリーンの巻き取り／巻き出し又はフレキシブルディスプレイスクリーンの動作ビューを視認可能に露出させるハウジングのプラットホームの側方又は回転変位に対するフレキシブルディスプレイスクリーンの巻き取り／巻き出し）を制限することはなく、限定することもない。かくして、図１〜図４に示す本発明の例示の装置１０の以下の説明は、本発明の装置の主要な構造的構成の範囲を制限することもなく制約することもない。
【０００７】
図１〜図４を参照すると、装置１０は、駆動ハウジングユニット１２及び巻回ハウジングユニット１３を含むハウジングを用いている。フレキシブルディスプレイスクリーン（“ＦＳＤ”）１１の駆動側端部は、駆動ハウジングユニット１２のスロット内に延び、それにより駆動ハウジングユニット１２内に設けられている駆動エレクトロニクス（“ＤＥ”）１４と電気的連絡状態にある。フレキシブルディスプレイスクリーン１２の巻回側端部は、巻回ハウジングユニット１３のスロット内に延び、それにより巻回ハウジングユニット１３内に設けられた引っ込み可能な巻回機構体（“ＲＭ”）１５に回転可能に結合されている。
【０００８】
フレキシブルディスプレイスクリーン１１及びハウジングを図１及び図２に示すように開き位置に構造的に構成するため、装置のユーザは、ハウジングユニット１２，１３を保持してこれらを互いに引き離し、それによりフレキシブルディスプレイスクリーン１１を巻回機構体１５から巻き出して、フレキシブルディスプレイスクリーン１１の全体的動作ビューが装置の１人又は複数人のユーザに視認可能に露出されるようにする。これとは逆に、フレキシブルディスプレイスクリーン１１及びハウジングを図３及び図４に示すように閉じ位置に構造的に構成するためには、装置のユーザは、ハウジングユニット１２，１３を保持してこれらを互いに向かって引っ込め、それによりフレキシブルディスプレイスクリーン１１を巻回機構体１５内に巻き取り、それによりフレキシブルディスプレイスクリーン１１の部分的動作ビューが、装置の１人又は複数人のユーザに視認可能に露出されるようにする。
【０００９】
フレキシブルディスプレイスクリーンを部分的ビューに対する物理的損傷を妨げるための透明なカバー１６が設けられている。カバー１６は、フレキシブルディスプレイスクリーン１１及びハウジングが図２に最も良く示されているように開き位置で構造的に構成されたとき、巻回ハウジングから垂直方向に延びる。
【００１０】
カバー１６は、フレキシブルディスプレイスクリーン１１及びハウジングが図４に最も良く示されているように閉じ位置において構造的に構成された場合、巻回ハウジングユニットから水平に延びる。
【００１１】
手動型実施形態では、カバー１６は、カバー１６を手動で回転させてフレキシブルディスプレイスクリーン１１に行ったり来たりさせやすいように巻回ハウジングユニット１３に回転可能に結合されている。
【００１２】
１つの自動化型実施形態では、カバー１６は、ハウジングユニット１２，１３を互いに向かって引っ込めているとき、カバー１６がフレキシブルディスプレイスクリーン１１に向かって回転し、ハウジングユニット１２，１３を互いに引き離しているとき、カバー１６がフレキシブルディスプレイスクリーン１１から遠ざかって回転するようハウジングユニット１２，１３相互間の相対運動に作動的に関連付けられる。
【００１３】
第２の自動化型実施形態では、カバー１６は、図５に最も良く示されているように、フレキシブルディスプレイスクリーン１１を巻回機構体１５周りに巻き取っているとき、カバー１６がフレキシブルディスプレイスクリーン１１に向かって回転し、フレキシブルディスプレイスクリーン１１を巻回機構体１５の周りから巻き出しているとき、カバー１６がフレキシブルディスプレイスクリーン１１から遠ざかって回転するよう巻回機構体１５に作動可能に結合されている。
【００１４】
装置１０の明確な理解を容易にするため、装置１０の商用具体化例２０が、図６及び図７に示されている。特に、図６は、フレキシブルディスプレイスクリーン２１と、駆動ハウジングユニット２２及び巻回ハウジングユニット２３を含むハウジングとを有する装置２０を示しており、フレキシブルディスプレイスクリーン及びハウジングは、フレキシブルディスプレイスクリーン２１の全体的動作ビューが視認可能に露出されるよう開き位置で構造的に構成されている。これとは逆に、図７は、フレキシブルディスプレイスクリーン２１の部分的動作ビューが透明なカバー２６を介して視認可能に露出されるよう閉じ位置において構造的に構成されたフレキシブルディスプレイスクリーン２１及びハウジングユニット２２，２３を有する装置２０を示している。
【００１５】
本発明の実施形態を例示としてのみ上述しているが、特許請求の範囲に記載された本発明の範囲から逸脱することなく説明した実施形態に対する改造及び変形を実施できることは当業者には明らかであろう。さらに、原文における特許請求の範囲において、括弧の中に入れた参照符号は、本発明を限定するものと解釈されてはならない。原文における“comprising”（出願翻訳文では、「〜を有する」と訳している場合が多い）という用語は、請求項に記載された要素又はステップ以外の要素又はステップの存在を排除するものではない。原文における“ａ”又は“ａｎ”という冠詞は、複数の存在を排除するものではない。本発明は、幾つかの別個独立の要素を有するハードウエアによって、また適当にプログラムされたコンピュータによって実施できる。幾つかの手段を列挙した装置クレームでは、これら手段のうちの幾つかは、同一のハードウエアによって具体化できる。手段が相互に異なる独立形式の請求項に記載されていないということだけでは、これら手段の組合せを有利に利用することができないということにはならない。
【図面の簡単な説明】
【００１６】
【図１】本発明の第１の実施形態としての装置の開き位置の概略平面図である。
【図２】本発明の第１の実施形態としての装置の開き位置の概略側面図である。
【図３】本発明の第２の実施形態としての装置の開き位置の概略平面図である。
【図４】本発明の第２の実施形態としての装置の開き位置の概略側面図である。
【図５】本発明の第２の実施形態による巻回機構体へのカバーの結合状態を示す上方からの斜視図である。
【図６】開き位置における図１〜図４に示す装置の商業的具体化例の例示の上方から見た斜視図である。
【図７】閉じ位置における図１〜図４に示す装置の商業的具体化例の例示の上方から見た斜視図である。
【図１】
2008541186.tif 000003
【図２】
2008541186.tif 000004
【図３】
2008541186.tif 000005
【図４】
2008541186.tif 000006
【図５】
2008541186.tif 000007
【図６】
2008541186.tif 000008
【図７】
2008541186.tif 000009
【国際調査報告】
2008541186.tif 000010
2008541186.tif 000011
2008541186.tif 000012